(57)【要約】【課題】電源投入時に電源供給ラインのスイッチの動作速度を制御して突入電流を削減する。【解決手段】電圧変換器と、電圧変換器により電圧が供給される無線部とを備える無線通信装置において、電圧変換器から無線通信装置に流入する電流を制御する電流制御回路であって、電圧変換器と無線部間にて電流を平滑する第１の容量手段と、入力側が電圧変換器に接続され、出力側が第１の容量手段に接続され、所定の信号レベルが制御信号として印加されるまでは入出力間を遮断する第１のスイッチ手段と、出力端子が第１のスイッチ手段の制御端子に接続され、接続が指示されるまでは入力と出力を切り離しておく第２のスイッチ手段と、第１のスイッチ手段の制御端と出力端間に接続される第２の容量手段と、第２のスイッチ手段の入力端子に直列に接続された抵抗が基準電位に接続され、第２の容量手段とで形成される時定数回路とを有する。【選択図】図３
2008211683.tif 000002
【特許請求の範囲】
【請求項１】
電源電圧を変換する電圧変換器と、電圧変換器により変圧された電圧が供給される無線部とを備える無線通信装置において、前記電圧変換器から前記無線通信装置に流入する電流を制御する電流制御回路であって、
電圧変換器と前記無線部間にて電流を平滑する第１の容量手段と、
入力側が前記電圧変換器に接続され、出力側が前記第１の容量手段に接続され、所定の信号レベルが制御信号として印加されるまでは入出力間を遮断する第１のスイッチ手段と、
出力端子が前記第１のスイッチ手段の制御端子に接続され、接続が指示されるまでは前記入力と出力を切り離しておく第２のスイッチ手段と、
前記第１のスイッチ手段の制御端と出力端間に接続される第２の容量手段と、
前記第２のスイッチ手段の入力端子に直列に接続された抵抗が基準電位に接続され、上記第２の容量手段とで形成される時定数回路と
を有する電流制御回路。
【請求項２】
前記第２のスイッチ手段は、前記無線部の送信時に制御信号が供給されて、前記入出力間を接続して、前記第１のスイッチ手段の動作開始を遅らせる
ことを特徴とする請求項１記載の電流制御回路。
【請求項３】
前記第１または第２のスイッチ手段は電界効果トランジスタである
ことを特徴とする請求項１記載の電流制御回路。
【請求項４】
前記第１のスイッチ手段はＰチャネルＦＥＴで、前記第２のスイッチ手段はＮチャネルＦＥＴである
ことを特徴とする請求項１記載の電流制御回路。
【請求項５】
電源電圧を変換する電圧変換器と、電圧変換器により変圧された電圧が供給される無線部と、前記無線部への電源投入指示を行う制御部と、前記電圧変換器から前記無線部に流入する電流を制御する電流制御回路とを備える無線通信装置であって、
前記電流制御回路は、
電圧変換器と前記無線部間にて電流を平滑する第１の容量手段と、
入力側が前記電圧変換器に接続され、出力側が前記第１の容量手段に接続され、所定の信号レベルが制御信号として印加されるまでは入出力間を遮断する第１のスイッチ手段と、
出力端子が前記第１のスイッチ手段の制御端子に接続され、接続が指示されるまでは前記入力と出力を切り離しておく第２のスイッチ手段と、
前記第１のスイッチ手段の制御端と出力端間に接続される第２の容量手段と、
前記第２のスイッチ手段の入力端子に直列に接続された抵抗が基準電位に接続され、上記第２の容量手段とで形成される時定数回路とを備え、
前記制御部は、前記無線部への電源投入する際に、前記第２のスイッチ手段の入出力端を接続する制御信号を出力する
ことを特徴とする無線通信装置。
【請求項６】
前記第２のスイッチ手段は、前記無線部の送信時に制御信号が供給されて、前記入出力間を接続して、前記第１のスイッチ手段の動作開始を遅らせる
ことを特徴とする請求項５記載の無線通信装置。
【請求項７】
前記第１または第２のスイッチ手段は電界効果トランジスタである
ことを特徴とする請求項５記載の無線通信装置。
【請求項８】
前記第１のスイッチ手段はＰチャネルＦＥＴで、前記第２のスイッチ手段はＮチャネルＦＥＴである
ことを特徴とする請求項５記載の無線通信装置。
【発明の詳細な説明】
【技術分野】
【０００１】
本発明は、外部から電源が供給される無線通信装置における、送信時に発生した突入電流を削減する電流制御回路およびこの電流制御回路を備えた無線通信装置に関する。
【背景技術】
【０００２】
近年、無線通信機能を有する通信モジュール（無線通信装置）を様々な機器に組み込み、通信モジュールを介して種々の情報を取得または発信し、機器間の情報交換を行う通信システムが注目されている。例えば、放送受信機と一体化された電話機等がある。
【０００３】
通信モジュールの中には、外部電源から電源供給を受けて動作するものがある。上述の通信モジュールには、過電圧保護回路やＤＣ／ＤＣコンバータ（電圧変換器）が内蔵され、外部電源から供給される電源電圧は、過電圧保護回路で保護された後、上記ＤＣ／ＤＣコンバータによって電圧変換されて、通信モジュール内部の各回路ブロックに供給される。特に、送信時には大きな電力が必要なため、ＤＣ／ＤＣコンバータを経由して電源が供給される。電源が供給されるとき、電源ラインに平滑用容量手段（コンデンサ）等が設けられていると突入電流が発生するので、この突入電流を削減するために無線部の前段に電流制御回路が設けられる。
【０００４】
例えば、特許文献１に従来の突入電流を削減するスイッチ回路が開示されている。この特許文献１には、出力端子にノイズ除去用の電解コンデンサ（容量手段）が設けられた回路と、この他電解コンデンサを除去した回路構成が開示され、スイッチを構成するＭＯＳＦＥＴまたはバイポーラトランジスタの制御端子に抵抗とコンデンサが設けられて、時定数回路を構成している。しかし、平滑コンデンサを用いた場合、回路が複雑でありスペース効率が不十分である。
【０００５】
【特許文献１】特開平９−２９８６１５号公報
【発明の開示】
【発明が解決しようとする課題】
【０００６】
上述したように、通信モジュールにおいて、送信時のみ電源を供給する場合がある。特にパワーアンプの回路では、電源部に平滑用のコンデンサが挿加されているため、電源を印加した際に突入電流が発生し入力電圧の変動を発生させ、移動通信装置の誤動作の要因となる。特に、通信モジュールのような場合は、入力電源の電流容量手段がさまざまであり、この突入電流をなるべく小さくする必要がある。
本発明は、上記問題に鑑み、突入電流を削減し電源電圧の変動を少なくするとともに、スペース効率の良い回路を提供することにある。
【課題を解決するための手段】
【０００７】
本発明の電流制御回路は、電源電圧を変換する電圧変換器と、電圧変換器により変圧された電圧が供給される無線部とを備える無線通信装置において、前記電圧変換器から前記無線通信装置に流入する電流を制御する電流制御回路であって、電圧変換器と前記無線部間にて電流を平滑する第１の容量手段と、入力側が前記電圧変換器に接続され、出力側が前記第１の容量手段に接続され、所定の信号レベルが制御信号として印加されるまでは入出力間を遮断する第１のスイッチ手段と、出力端子が前記第１のスイッチ手段の制御端子に接続され、接続が指示されるまでは前記入力と出力を切り離しておく第２のスイッチ手段と、前記第１のスイッチ手段の制御端と出力端間に接続される第２の容量手段と、前記第２のスイッチ手段の入力端子に直列に接続された抵抗が基準電位に接続され、上記第２の容量手段とで形成される時定数回路とを有する。
【０００８】
本発明の無線通信装置は、電源電圧を変換する電圧変換器と、電圧変換器により変圧された電圧が供給される無線部と、前記無線部への電源投入指示を行う制御部と、前記電圧変換器から前記無線部に流入する電流を制御する電流制御回路とを備える無線通信装置であって、前記電流制御回路は、電圧変換器と前記無線部間にて電流を平滑する第１の容量手段と、入力側が前記電圧変換器に接続され、出力側が前記第１の容量手段に接続され、所定の信号レベルが制御信号として印加されるまでは入出力間を遮断する第１のスイッチ手段と、出力端子が前記第１のスイッチ手段の制御端子に接続され、接続が指示されるまでは前記入力と出力を切り離しておく第２のスイッチ手段と、前記第１のスイッチ手段の制御端と出力端間に接続される第２の容量手段と、前記第２のスイッチ手段の入力端子に直列に接続された抵抗が基準電位に接続され、上記第２の容量手段とで形成される時定数回路とを備え、前記制御部は、前記無線部への電源投入する際に、前記第２のスイッチ手段の入出力端を接続する制御信号を出力することを特徴とする。
【０００９】
本発明の電流制御回路およびこれを備えた無線通信装置は、電源供給ラインにスイッチを設け、このスイッチを制御する制御回路に時定数回路を備える。制御回路を無線通信装置の電源供給時に制御信号を供給して動作させ、スイッチの制御端子に供給する制御電圧を遅延させてスイッチ動作を遅らせる。
【発明の効果】
【００１０】
本発明の無線通信装置は、電源供給ラインに設けられたスイッチに時定数回路を設け、動作開始を遅らせることで、突入電流を削減する。
また、本発明は、無線通信装置において、送信時に突入電流を削減することにより、無線部に供給する電圧を安定化し、誤動作を防止する。
【発明を実施するための最良の形態】
【００１１】
図１に本発明の実施の形態に係る無線通信装置の一例として携帯電話機１０の場合の概略構成図を示す。この携帯電話機１０は、例えばＴＶ受像機と電話機が一体化されて備えられ、下側筐体１０Ａと上側筐体１０Ｂのブロックで構成される。
【００１２】
図１に示すように、下側筐体１０ＡはＴＶ受像機の信号処理部と電話機の信号処理部、表示装置の制御部、メモリなどで構成されている。一方、上側筐体１０Ｂは、表示装置、カメラなどの撮像装置やスピーカで構成される。
【００１３】
まず、下側筐体１０Ａについて説明する。ＴＶ受像機において、アンテナ１１がＴＶチューナ（ＴＶ  ＴＵＮＥＲ）１２に接続され、ＴＶチューナ１２の出力はビデオデコーダ（Ｖｉｄｅｏ  Ｄｅｃｏｄｅｒ）１３に接続され、このビデオデコーダ１３はメインＣＰＵ（マイクロコンピュータ）１７、ＬＣＤ制御部１４に接続される。メインＣＰＵ１７はＴＶチューナ１２、ビデオデコーダ１３、ＬＣＤ制御部１４、メモリ１８に接続される。メインＣＰＵ１７はメモリ１８に記憶されたプログラムにより、または（外部）コマンドにより制御信号を生成し、ＴＶチューナ１２、ビデオデコーダ１３、ＬＣＤ制御部（Ｌｉｑｕｉｄ  Ｃｒｙｓｔａｌ  Ｄｉｓｐｌａｙ  Ｃｏｎｔｏｒｏｌ；液晶表示制御）１４や音声処理部１９などを制御する。
一方、アンテナ１５は電話機を構成するＣＤＭＡ  ＲＦ（Ｃｏｄｅ  Ｄｉｖｉｓｉｏｎ  Ｍｕｌｔｉｐｌｅ  Ａｃｃｅｓｓ  Ｒａｄｉｏ  Ｆｒｅｑｕｅｎｃｙ）部１６の入力に接続され、ＣＤＭＡ  ＲＦ部１６の出力はメインＣＰＵ１７と音声処理部１９に接続される。音声処理部１９はメインＣＰＵ１７とマイク（ＭＩＣ）２０に接続され、メインＣＰＵ１７の出力は、ＬＣＤ制御部１４などに接続される。
また、破線で囲んだスイッチ（ＳＷ）２１がビデオデコーダ１３とＬＣＤ制御部１４の伝送路に接続され、ＬＣＤ制御部１４によりオン／オフ制御されカメラ２３からの画像をサブＬＣＤ２４に転送する。
【００１４】
次に、図１に示す、携帯電話機１０の動作について説明する。ＴＶ受像機において、ＴＶチューナ１２は、アンテナ１１から受信したＲＦ信号から所望のチャンネルを選択して特定チャンネルのＲＦ信号をＩＦ（中間）周波数に変換する。ビデオデコーダ１３は、中間周波数に変換された映像信号を検波してビデオ信号を生成する。音声処理部１９は、ＴＶチューナ１２から出力された音声信号を検波、増幅してスピーカ２６に出力する。
【００１５】
一方、電話機において、ＣＤＭＡ  ＲＦ部１６はアンテナ１５から無線信号を受信し、ＲＦ信号増幅、周波数変換、復調などを行い、または、音声処理部１９から出力された信号を、変調、無線周波数に周波数変換し、電力増幅してアンテナ１５へ出力する。音声処理部１９は、逆スペクトラム拡散拡散、デインターリーブ、誤り訂正、音声伸張などの信号処理を行い、あるいは音声圧縮、符号化、インターリーブ、スペクトラム拡散などの信号処理を行う。復調された音声信号をスピーカ２６に供給し、通信相手の音声を出力する。マイク２０は音声を音声信号に変換する。
メインＣＰＵ１７は、例えばマイクロコンピュータなどで構成され、メモリ１８に記憶されているプログラムに従って、ＴＶチューナ１２のチャンネル選択、ビデオデコーダ１３の調整を行う。また、電話機においては、メインＣＰＵ１７は、ＣＤＭＡ  ＲＦ部１６の送受信切り替え、パワー制御、その他の通信制御を行い、電話機で受信した画像データ、文字情報、通信履歴などのデータ処理を行う。
また、メインＣＰＵ１７は、ＬＣＤ制御部１４を制御して、カメラ２３やビデオデコーダ１３から出力される映像を切り替え、サブ（Ｓｕｂ）ＬＣＤ２４、メインＬＣＤ２５に映像信号を出力する。メモリ１８は、ＴＶ受像機や電話機の制御用プログラムや種々のデータが格納される。
ＬＣＤ制御部１４は、スイッチ２１を制御し、カメラ２３からの画像を取り込むよう制御する。この他、ＬＣＤ制御部１４は、カメラ２３から出力される画像とビデオデコーダ１３から出力される映像信号を選択し、サブＬＣＤ２４またはメインＬＣＤ２５に画像表示する。
【００１６】
次に、上側筐体１０Ｂのブロック構成について説明する。上側筐体１０Ｂは、主に表示装置と音声出力装置が備えられている。具体的には、カメラ（ＣＡＭＥＲＡ）２３、サブＬＣＤ（Ｓｕｂ  ＬＣＤ）２４、メインＬＣＤ（Ｍａｉｎ  ＬＣＤ）２５とスピーカ（ＳＰ）２６で構成される。
カメラ２３の出力はスイッチ（ＳＷ）２１に接続され、サブＬＣＤ（Ｓｕｂ  ＬＣＤ）２４とメインＬＣＤ（Ｍａｉｎ  ＬＣＤ）２５はＬＣＤ制御部１４に接続される。また、スピーカ２６は音声処理部１９に接続される。
【００１７】
カメラ２３は、例えば、表示装置と一体化されて上側筐体１０Ｂに設けられている。カメラ２３またはＴＶ受像機から転送された映像はサブＬＣＤ２４またはメインＬＣＤ２５に表示される。スピーカ２６は、ＴＶ受像機の音声や、電話機の音声を出力する。
【００１８】
次に図１の携帯電話機１０の動作について説明する。
メインＣＰＵ１７によりＴＶ受像機が選択され、ＴＶ信号がアンテナ１１を介してＴＶチューナ１２に入力され、所望のチャンネルが選択されると、チャンネルＲＦ信号がＩＦ変換された後ビデオデコーダ１３に転送される。ビデオデコーダ１３でビデオ検波が行われ、ビデオ信号や同期信号がＬＣＤ制御部１４を介してメインＬＣＤ２５に供給されて、選択されたＴＶチャンネルの映像が表示される。
音声信号は、ＴＶチューナ１２から音声処理部１９に供給され、そこで信号処理されて音声信号に復調されてスピーカ２６から音声が出力される。
メインＣＰＵ１７でカメラ２３が選択されると、ＬＣＤ制御部１４を介してスイッチ２１が動作状態となり、カメラ２３から転送された画像がＬＣＤ制御部１４を介してサブＬＣＤ２４に表示される。また、このメインＣＰＵ１７により、カメラ２３から出力された画像の編集、拡大、削除などを行い、サブＬＣＤ２４に表示でき、拡大画像を表示したいときは、ＬＣＤ制御部１４を制御してメインＬＣＤ２５に表示することもできる。
【００１９】
メインＣＰＵ１７により電話機が選択されると、アンテナ１５、音声処理部１９、マイク２０、サブＬＣＤ２４、スピーカ２６が動作状態となる。このメインＣＰＵ１７で送信状態に設定されると、マイク２０から入力した音声信号が音声処理部１９でディジタル音声処理され、ＣＤＭＡ  ＲＦ部１６で変調、電力増幅などを行いアンテナ１５から無線信号が輻射される。
一方、メインＣＰＵ１７の制御により電話機が受信状態に設定されると、アンテナ１５から無線信号が入力され、ＣＤＭＡ  ＲＦ部１６に入力されて復調され、音声処理部でディジタル信号処理されて、音声がスピーカから出力される。一方入力信号がデータ信号のときは、ＣＤＭＡ  ＲＦ部１６からメインＣＰＵ１７に入力され、ディジタル処理されてＬＣＤ制御部１４を介して例えばサブＬＣＤ２４に文字情報、記号、絵などが表示される。
【００２０】
図２に、図１に示した携帯電話機１０の電話機などの送受信機に関するブロック構成図を示す。図２に示す無線通信装置５０は、図１に示した、例えばアンテナ１５、ＣＤＭＡ  ＲＦ部１６、メインＣＰＵ１７、メモリ１８、音声処理部１９、マイク２０、カメラ２３、サブＬＣＤ２４、スピーカ２６などに相当する。
アンテナ５６は送受信機５５に接続され、送受信機５５は制御ブロックと電源供給ブロックに接続される。
電源供給ブロックにおいて、（外部）電源５１が過電圧保護回路５２の入力に接続され、過電圧保護回路５２の出力は電圧変換器５３の入力に接続され、この電圧変換器５３の出力は突入電流削減回路５４の入力に接続される。突入電流削減回路５４の出力は送受信機５５に接続され、電源を供給する。
一方、制御ブロックにおいて、インターフェース５８が制御部５７に接続され、この制御部５７は、送受信機５５、突入電流削減回路５４と電圧変換器５３に接続される。なお、制御部５７は図１に示すメインＣＰＵ１７、メモリ１８を用いて構成しても良い。
また、インターフェース５８は、無線通信装置５０が携帯電話機１０に適用される場合には、音声処理部やＬＣＤなどの各ブロックに接続され、無線通信装置５０が、車載用や自動販売機用などの通信モジュールである場合には、外部機器とのインターフェースとなる。
【００２１】
次に、図２に示す無線通信装置５０の動作について説明する。送受信機５５は省電力のため、非使用時には電源供給されておらず、送信の必要が生じると、制御部５７により電源供給されるよう処理を開始する。すなわち、電源５１、例えば車載バッテリーからＤＣ電源が送受信機５５に供給されるが、電源５１と電圧変換器５３の間に過電圧保護回路５２が備えられ、また電圧変換器５３と送受信機５５の間に突入電流を保護する突入電流削減回路５４が備えられている。
インターフェース５８を介して制御コマンドが制御部５７に供給されると、制御部５７から電圧変換器５３、突入電流削減回路５４、送受信機５５に制御信号が供給され、動作が制御される。
電源５１から出力されたＤ．Ｃ（直流）電圧が過電圧保護回路５２を介して電圧変換器５３に供給され、例えばＤＣ／ＤＣコンバータなどで電圧が降圧（または昇圧）されて電圧変換される。この電圧変換された電圧が突入電流削減回路５４を経由して送受信機５５に供給される。
【００２２】
送受信機５５が受信状態に設定されると、アンテナ５６から無線信号が入力される。
送受信機５５の受信部で受信した無線信号を、ＣＤＭＡ  ＲＦ部１６で周波数変換、スペクトラム逆拡散などを行い、音声処理部１９でデインターリーブ、誤り訂正、音声伸張などの信号処理を行う。そして、復調された音声信号をスピーカ２６に供給し、通信相手の音声を出力する。また、メインＣＰＵ１７で文字情報、記号、文字などを生成し、ＬＣＤ制御部１４を介してサブＬＣＤ２４に表示する。
【００２３】
一方、送受信機５５が動作中に、受信状態から送信状態に切り替わると、送信部が起動する。また、送信状態に切り替わると同時に、制御部５７から電圧変換器５３、突入電流削減回路５４に制御信号が供給される。
通話者の音声がマイク２０で音声信号に変換され、音声処理部１９に供給される。音声処理部１９に入力された音声信号はディジタル音声信号処理が行われ、ＣＤＭＡ  ＲＦ部１６に供給される。ＣＤＭＡ  ＲＦ部１６で変調、周波数変換された信号は、無線信号としてアンテナ５６から放射される。
【００２４】
過電圧保護回路５２は通常動作時は動作せず電源５１から供給された電源を電圧変換器５３に供給する。しかし、電源５１から入力される電圧が動作範囲以上になると動作し、電源供給ラインを遮断し、電圧変換器５３へ電源を供給することを停止して、急激な電圧の上昇に対して後段の回路を保護する。
【００２５】
突入電流削減回路５４は、例えば、無線通信装置５０が受信状態から送信状態に切り替わったときに動作する。送受信機５５が非使用状態から送信状態に切り替わると、電圧変換器５３を介して送受信機５５の受信部に電源が供給される。このとき、送受信機５５の入力側に平滑用容量手段やノイズ除去用容量手段があると突入電流が発生する。突入電流削減回路５４は、突入電流を削減するため制御部５７から供給されたコマンドにより、突入電流削減回路５４を制御して回路動作を遅延させ送信開始時の突入電流が送信部に供給されないようにする。
【００２６】
次に、図３に示す突入電流削減回路５４について述べる。
図３の突入電流削減回路５４は、図２に示した様に、電圧変換器５３と送受信機５５の間に備えられていて、特に電話機などの無線通信機の送信回路では、送信時のみ電源を供給することがある。送信回路のパワーアンプ回路では、電源部に平滑用の容量手段（コンデンサ）が挿加されているため、電源を印加した際にその平滑用コンデンサへ突入電流が発生する。この突入電流が発生すると入力電圧が変動し、無線通信機の特性劣化の要因となる。
また、送信時のみパワーアンプへ電源を供給することでパワーアンプの信頼性を高めることができ、パワーアンプを保護することもできる。
【００２７】
図３に示す突入電流削減回路５４は、電源供給ラインに設けられたスイッチとこのスイッチのタイミングを調整する時定数回路と、時定数回路にスイッチを制御する制御信号を供給する制御回路で構成される。スイッチは主にＰチャネルＦＥＴスイッチ２０３で構成され、制御回路は主にＮチャネルＦＥＴ２０６、時定数回路は抵抗と容量手段で構成される。
【００２８】
突入電流削減回路５４において、入力端子２０１はＰチャネルＦＥＴスイッチ２０３のソースと抵抗２０２の一方の端子に接続され、抵抗２０２の他方の端子はＰチャネルＦＥＴスイッチ２０３のゲートとＮチャネルＦＥＴ２０６のドレインと容量手段２０４の一方の端子に接続される。ＰチャネルＦＥＴスイッチ２０３のドレインは容量手段２０４の他方の端子と、容量手段２０５の一方の端子に接続される。容量手段２０５の他方の端子はグランドに接続される。
ＮチャネルＦＥＴ２０６のソースは抵抗２０７の一方の端子に接続され、抵抗２０７の他方の端子はグランドに接続される。またＮチャネルＦＥＴ２０６のゲート２０８には制御信号が供給される。
【００２９】
次に、突入電流削減回路５４の動作について図４の波形図を参照しながら説明する。
図４に示すように、外部電源が供給されると、時刻ｓ１までは、制御信号が“Ｌ”レベルであるので、ＮチャネルＦＥＴ２０６はオフしている。そのため、ＮチャネルＦＥＴ２０３のソースとゲートは同電圧である。また、ソース電圧（入力電圧）がＰチャネルＦＥＴ２０３のゲートとドレイン間に接続された容量手段２０４と平滑用容量手段２０５に充電される。
【００３０】
時刻ｓ１でＮチャネルＦＥＴ２０６のゲートに“Ｈ”レベルの制御信号が入力され（波形ａ）、閾値電圧以上になると動作状態となりドレイン電流が流れる。ＮチャネルＦＥＴ２０６が導通するのでドレイン電圧は下がり、ＰチャネルＦＥＴスイッチ２０３のゲート電圧は下がる（波形ｂ）。これと同時に、容量手段２０４に蓄積された電荷は抵抗２０７を介して放電され、ＰチャネルＦＥＴ２０３のゲート電圧は容量手段２０４と抵抗２０７で決まる時定数で減少する。
時刻ｓ２で、インパルス状の突入電流がＰチャネルＦＥＴスイッチ２０３のソースに入力される（波形ｃ）。しかしＰチャネルＦＥＴスイッチ２０３のドレインにはグランド間に接続された容量手段２０５と、ドレイン−ゲート間に接続された容量手段２０４が存在し、容量手段２０４によりドレイン電圧がゲートに帰還されるのでゲート電圧は突入電流が入力された期間、時刻ｓ２〜ｓ３は、ほぼ一定となる。
【００３１】
その後、ＰチャネルＦＥＴスイッチ２０３のゲート電圧は、ＮチャネルＦＥＴ２０６のドレイン−ソース間のオン（導通）抵抗を無視できるので、容量手段２０４と抵抗２０７のＣＲ時定数に基づいて減少し、抵抗２０２と抵抗２０７の分圧比で決まる電圧に遷移する。
一方、ＰチャネルＦＥＴスイッチ２０３のドレイン電圧（波形ｄ）は上昇し、図４に示すように、時刻ｓ３〜ｓ４の間でリンギング（波形ｆ）が生じ、時刻ｓ４の近傍でドレイン電圧は安定する。
【００３２】
このように、ＮチャネルＦＥＴ２０６が制御されてオン動作状態に設定され、ＰチャネルＦＥＴスイッチ２０３に突入電流が入力されても、ＰチャネルＦＥＴ２０３のゲート電圧が容量手段２０４と抵抗２０７で決まる時定数で遷移することで、オン動作のスタート時間を遅らせることができ、それに伴い突入電流を削減することができる。
なお、図３のＮチャネルＦＥＴ２０７はＭＯＳＦＥＴで構成されているが、これに限定されず、例えばバイポーラトランジスタ等で構成することもできる。
【００３３】
図５に、突入電流削減回路５４において、抵抗２０７を一定とし、容量手段２０４を可変したときの突入電流の最大値、突入電流の期間（Ｔｉ）、シンク電流、ＰチャネルＦＥＴスイッチ２０３の出力安定化時間（ＴＶＤ−ｏｎ）などの結果を示す。なお、シンク電流とは図４におけるＵにて示す電位の変動であり、ＤＣ／ＤＣコンバータに流れ込む電流のことを表す。
まず、容量手段２０４が存在しない時、突入電流の最大値は６．０８Ａ、突入電流期間Ｔｉは３０μｓ（マイクロ秒）、シンク電流は−１．６５Ａ、リンギング電圧は約０．５Ｖ、安定化時間ＴＶＤ−ｏｎは８０μｓである。
容量手段２０４が１０００ｐＦのとき、突入電流の最大値は２．１２Ａ、Ｔｉは７６μｓ、シンク電流−０．５Ａ、リンギング電圧＋０．１Ｖ、安定化時間ＴＶＤ−ｏｎは１２０μｓである。
容量手段２０４が４７００ｐＦのとき、突入電流の最大値は５１２ｍＡ、Ｔｉは２５０μｓ、シンク電流−６０ｍＡ、リンギング電圧は無し、安定化時間ＴＶＤ−ｏｎは３００μｓである。
容量手段２０４が０．００１μＦのとき、突入電流の最大値は２８０ｍＡ、Ｔｉは４３０μｓ、シンク電流は無し、リンギング電圧は無し、安定化時間ＴＶＤ−ｏｎは５４０μｓである。
【００３４】
このように、ＰチャネルＦＥＴスイッチ２０３の出力に接続された容量手段２０４の容量（手段）値を大きくするに従って、突入電流の最大値は削減される。また、突入電流以外にもシンク電流、リンギング（電圧）も小さくなる。
【００３５】
以上述べたように、本発明の突入電流削減回路は、素子構成を簡単なものとしながらも、動作速度を調整するため安価な回路構成で突入電流を削減することができる。また同時にシンク電流やリンギングも減らすことができる。さらに、このような突入電流削減回路を有する無線通信装置ならば後段の送信回路のパワーアンプ（ＰＡ）回路を保護することができる。
【図面の簡単な説明】
【００３６】
【図１】携帯電話機の全体ブロック構成を示す図である。
【図２】無線通信装置のブロック構成を示す図である。
【図３】突入電流削減回路の回路構成を示す図である。
【図４】突入電流削減回路を説明するための波形図である。
【図５】突入電流削減回路の結果を示す図である。
【符号の説明】
【００３７】
１０…携帯電話機、１０Ａ…下側筐体、１０Ｂ…上側筐体、１１，１５，５６…アンテナ、１２…ＴＶチューナ（ＴＶ  ＴＵＮＥＲ）、１３…ビデオデコーダ、１４…ＬＣＤ制御部、１６…ＣＤＭＡ  ＲＦ部、１７…メインＣＰＵ（Ｍａｉｎ  ＣＰＵ）、１９…音声処理部、２０…マイク（ＭＩＣ）、２１…スイッチ（ＳＷ）、２３…カメラ、２４…サブＬＣＤ、２５…メインＬＣＤ、２６…スピーカ、５０…無線通信装置、５１…電源、５２…過電圧保護回路、５３…電圧変換器、５４…突入電流削減回路、５５…送受信機、５７…制御部、５８…インターフェース、２０２，２０７…抵抗、２０３…ＰチャネルＦＥＴ（スイッチ）、２０４，２０５…容量手段（コンデンサ）、２０６…ＮチャネルＦＥＴ。
【図１】
2008211683.tif 000003
【図２】
2008211683.tif 000004
【図３】
2008211683.tif 000005
【図４】
2008211683.tif 000006
【図５】
2008211683.tif 000007